(57)【特許請求の範囲】
【請求項１】
吊り下げ穴を有する複数の商品を吊り下げ棒に陳列及び回収する商品陳列回収補助具であって、
前記吊り下げ穴に挿入する軸部と、
前記軸部の一端部に設けた前記吊り下げ棒の先端部に嵌め込む係止孔と、
前記軸部の他端部に設けた前記商品を前記軸部上に塞き止める第２ストッパー部と、
前記軸部において係止されており前記商品を前記第２ストッパー部と挟んで前記商品を前記軸部上に保持する第１ストッパー部を具備し、
前記第１ストッパー部は、前記軸部の一端部において、前記軸部が貫通されて空いた孔に前記係止孔を塞ぐように挿入させた折り曲げ可能な板であることを特徴とする商品陳列回収補助具。
【請求項２】
吊り下げ穴を有する複数の商品を吊り下げ棒に陳列及び回収する商品陳列回収補助具であって、
前記吊り下げ穴に挿入する軸部と、
前記軸部の一端部に設けた前記吊り下げ棒の先端部に嵌め込む係止孔と、
前記軸部の他端部に設けた前記商品を前記軸部上に塞き止める第２ストッパー部と、
前記軸部において係止されており、前記商品を前記第２ストッパー部と挟んで前記商品を前記軸部上に保持する第１ストッパー部を具備し、
前記第１ストッパー部は、前記軸部内の一端部において固定されている弾性体と、
前記軸部内において前記弾性体に隣接した点を中心に回動自在に動き、前記軸部の一端部に設けられた前記係止孔に繋がる孔を通って前記軸部から突出した押板と、
を具備し、前記吊り下げ棒に前記係止孔を挿入することで、前記吊り下げ棒の先端部が前記押板を押して隣接された前記弾性体が変形し、突出した前記押板が前記係止孔内に収納されることを特徴とする商品陳列回収補助具。
【請求項３】
前記軸部が識別印を有していることを特徴とする請求項１または請求項２に記載の商品陳列回収補助具。
【請求項４】
前記軸部の一部に弾性部材を有することを特徴とする請求項１から請求項３のいずれか一項に記載の商品陳列回収補助具。
【請求項５】
前記軸部の前記他端部に着脱自在な把持部材を具備することを特徴とする請求項１から請求項４のいずれか一項に記載の商品陳列回収補助具。
【発明の詳細な説明】
【技術分野】
【０００１】
陳列用の吊り下げ棒に商品を移し替える際に効率よく商品の出し入れ等の移し替えを可能にする商品陳列回収補助具に関する。
【背景技術】
【０００２】
従来からホームセンター等の小売店で商品を陳列する際は、金網などの基板に固定されている吊り下げ棒に商品のパッケージ上部に設けられている吊り下げ穴を通して陳列させている。しかし、吊り下げ穴を吊り下げ棒に一つずつ通して商品を陳列するのは手間がかかる。また、商品の棚卸等の際には商品を全て吊り下げ棒から下して在庫数を数えて再び陳列棚に戻す必要があるため労力を有するものである。そこで、特許文献１に記載の商品移動用具が用いられていた。
【０００３】
特許文献１では、複数の商品が吊り下げ可能な軸部とその先端に、陳列用のフックの先端部に係止して陳列用フックと軸部とを連続状態にする係止部を備えた商品移動用具が開示されている。
【先行技術文献】
【特許文献】
【０００４】
【特許文献１】特開２００９−２４７５２４
【発明の概要】
【発明が解決しようとする課題】
【０００５】
しかし、特許文献１に記載の商品移動用具は、商品移動用具に吊り下げた商品を軸部上で塞き止める手段がなく不安定であるため、吊り下げ棒に係止させる前に、商品が滑り落ちて下に落としてしまう可能性があり効率が悪かった。また、商品移動用具の軸部に商品を挿入する必要があり、結局陳列棚の棒に商品を吊り下げるのと同様の手間を有していた。
【０００６】
そこで、本発明の目的は上記問題点を解決するために、作業員が陳列棚に商品を陳列する際に商品の陳列及び回収を効率よく行い、また商品を落とすことなく効率よく商品を移し替える際の商品陳列回収補助具を提供する。
【課題を解決するための手段】
【０００７】
吊り下げ穴を有する複数の商品を吊り下げ棒に陳列及び回収する商品陳列回収補助具であって、前記吊り下げ穴に挿入する軸部と、前記軸部の一端部に設けた前記吊り下げ棒の先端部に嵌め込む係止孔と、前記軸部の他端部に設けた前記商品を前記軸部上に塞き止める第２ストッパー部と、前記軸部において係止されており前記商品を前記第２ストッパー部と挟んで前記商品を前記軸部上に保持する第１ストッパー部を具備し、前記第１ストッパー部は、前記軸部の一端部において、前記軸部が貫通されて空いた孔に前記係止孔を塞ぐように挿入させた折り曲げ可能な板であることを特徴としたことにある。
【０００８】
吊り下げ穴を有する複数の商品を吊り下げ棒に陳列及び回収する商品陳列回収補助具であって、前記吊り下げ穴に挿入する軸部と、前記軸部の一端部に設けた前記吊り下げ棒の先端部に嵌め込む係止孔と、前記軸部の他端部に設けた前記商品を前記軸部上に塞き止める第２ストッパー部と、前記軸部において係止されており、前記商品を前記第２ストッパー部と挟んで前記商品を前記軸部上に保持する第１ストッパー部を具備し、前記第１ストッパー部は、前記軸部内の一端部において固定されている弾性体と、前記軸部内において前記弾性体に隣接した点を中心に回動自在に動き、前記軸部の一端部に設けられた前記係止孔に繋がる孔を通って前記軸部から突出した押板と、を具備し、前記吊り下げ棒に前記係止孔を挿入することで、前記吊り下げ棒の先端部が前記押板を押して隣接された前記弾性体が変形し、突出した前記押板が前記係止孔内に収納されることを特徴としたことにある。
【０００９】
前記軸部が識別印を有していることを特徴としたことにある。
【００１０】
前記軸部の一部に弾性部材を有することを特徴としたことにある。
【００１１】
前記軸部の前記他端部に着脱自在な把持部材を具備することを特徴としたことにある。
【発明の効果】
【００１２】
吊り下げ棒の先端部に係止孔を嵌め込むことによって吊り下げ棒と軸部が連続するので商品を手で押して軸部に移動させるだけで効率的に商品を軸部に回収することができる。また第２ストッパー部を有するため、商品が係止されて軸部に保持することができる。
【００１３】
軸部上に第１ストッパー部及び第２ストッパー部を有しているため商品が軸部上で保持され、商品を陳列させる際に、軸部から商品がずれ落ちる恐れがなくなる。また、商品を陳列する際は、予め軸部に商品が吊り下げられているため、軸部に商品を移す必要はなくなる。
【００１４】
第１ストッパー部は、商品の重力を受けても動かないが、外力を加えることで軸部上を摺動可能に移動することができるので、使用者は吊り下げ棒の先端部に軸部の一端部にある係止孔を嵌め込んだ後、手で軽く商品を押すだけで軸部に保持されている商品を同時にまとめて吊り下げ棒に移動させることができる。
【００１５】
軸部上に識別印を有することで、軸部上に吊り下げられている商品の個数等の情報を瞬時に把握することができる。
【００１６】
軸部の一部を弾性部材とすることで、係止孔を吊り下げ棒の先端部に嵌め込んだ後も軸部を曲げることができる。また、軸部の先端部を弾性部材とすることで係止孔の内径よりも大きい直径の吊り下げ棒であっても、嵌め込みが可能となる。
【００１７】
第２ストッパー部が、把持部材であることで、高い場所にある吊り下げ棒であっても、商品の陳列を容易にすることができる。
【図面の簡単な説明】
【００１８】
【図１】小売店の陳列棚の吊り下げ棒を用いて商品を陳列している概略斜視図である。
【図２】本発明の商品陳列回収補助具に係る第１実施形態を示し、（ａ）概略側面図（ｂ）正面図（ｃ）使用例図である。
【図３】本発明に係る第２実施形態を示し、（ａ）概略使用状態斜視図（ｂ）背面図（ｃ）正面図である。
【図４】図３の商品陳列回収補助具に係る（ａ）吊り下げ棒に挿入する前の概略側面図であり、（ｂ）挿入後に使用者が商品を吊り下げ棒に移し替える様子を示す概略側面図である。
【図５】図４（ｂ）の概略斜視図である。
【図６】図３の商品陳列回収補助具に係る（ａ）吊り下げ棒に商品を移し替えた後を示す概略側面図であり、（ｂ）商品陳列回収補助具と第１ストッパー部を吊り下げ棒から取り外した状態を示す概略側面図である。
【図７】紐付き第１ストッパー部の（ａ）概略斜視図であり、（ｂ）紐付き第１ストッパー部を用いた商品陳列回収補助具の概略斜視図であり、（ｃ）（ｂ）の概略側面図である。
【図８】ピンチ型第１ストッパー部の（ａ）概略斜視図であり、（ｂ）ピンチ型第１ストッパー部を用いた商品陳列回収補助具の概略斜視図であり、（ｃ）（ｂ）の概略側面図である。
【図９】折曲板型第１ストッパー部の（ａ）概略斜視図、（ｂ）概略背面図、（ｃ）（ｄ）実施例を示す概略平面図である。
【図１０】押板型第１ストッパー部を用いた商品陳列回収補助具に係る（ａ）概略斜視図、（ｂ）（ｃ）実施例の断面図である。
【図１１】栓型第１ストッパー部を用いた商品陳列回収補助具の（ａ）概略側面図、（ｂ）実施例を示す概略側面図である。
【図１２】軸部の一部に弾性部材を用いた商品陳列回収補助具の（ａ）概略側面図であり、（ｂ）実施例を示す概略側面図である。
【図１３】（ａ）把持型第２ストッパー部の概略側面図（ｂ）把持型第２ストッパー部を用いた商品陳列回収補助具の概略側面図であり、（ｃ）把持型第２ストッパー部の変形例を用いた商品陳列回収補助具の概略側面図であり、（ｄ）実施例を示す概略側面図である。
【発明を実施するための形態】
【００１９】
図１は小売店で商品１が売られている様子を示す斜視図である。ホームセンターやスーパーマーケットなどの商店でよく見受けられるように、商品１を陳列する際は図１のような網基板２に吊り下げ棒基板３が設けられており、この吊り下げ棒基板３に丸棒の吊り下げ棒４が垂直になるように固定されており、吊り下げ棒４に商品１のパッケージ上部の吊り下げ穴５を通して複数商品が陳列されている。また商品１が吊り下げ棒４から落ちないように、吊り下げ棒４の先端部６は上方向を向いている。
【００２０】
図２（ａ）は本発明の実施形態の商品陳列回収補助具７ａを示しており、商品１の吊り下げ穴５を通す軸部８と、吊り下げられた商品１を軸部８に塞き止める第２ストッパー部９と、吊り下げ棒４の先端部６に嵌め込む係止孔１１を具備しており、主に商品１を吊り下げ棒４から回収するときに用いられる。吊り下げ棒４の先端部６に係止孔１１を嵌め込みその後、図２（ｃ）に示すように商品１を手前に持ってくることで軸部８に回収することができる。商品１が複数ある場合は、まとめて回収することができるため効率的である。
【００２１】
商品１は、小物や食品等が袋詰めされたパッケージ上部に吊り下げ棒４を通すための吊り下げ穴５を有して吊り下げ可能であればよい。商品１の数は吊り下げ棒４の長さに応じて自由に決めることができる。
【００２２】
軸部８は直線状の円柱構造であり、商品１のパッケージ上部の吊り下げ穴５に挿入されて複数の商品１を吊り下げることができる。大きさは商品１を保持する量や商品１の大きさによって変更することができる。素材はプラスチックのような合成樹脂が好適に用いられ、商品１との摩擦が少ないものが望ましいが、ゴムなどの弾性を有する素材や紙素材でもよい。図２（ｂ）にあるように軸部８の外径ｄ１は、商品１のパッケージ上部の吊り下げ穴５よりも小さければよく、内径ｄ２については吊り下げ棒４の先端部６の太さよりも大きければよい。また、形状も円柱構造でなくても角柱構造等でもよく、紐等のような細い線状の構造でもよい。また吊り下げる商品１の数によって軸部８の長さを自在に変えることができる。また軸部８の色は、商品１の種類、サイズ又は吊り下げ時期等により決定して自由に変えることができる。
【００２３】
第２ストッパー部９は、軸部８に吊り下げられた商品１が軸部８から滑り落ちるのを防ぐ役割を果たしており、商品１の前面部１２側で軸部８の先端に設けられている。ここで前面部１２とは、軸部８に掛けてある複数ある商品１のうち最も前に保持されている商品１の前面側の面とする。第２ストッパー部９の形状は、図２に示すような円形状に限られず、吊り下げ穴５に引っ掛かるような形状の突起物で商品１を塞き止めることができればよい。
【００２４】
図３（ａ）〜（ｃ）に示している商品陳列回収補助具７ｂは、商品１、軸部８、第２ストッパー部９、第１ストッパー部１０及び係止孔１１を具備しており、主に軸部８に吊り下げられた商品１を吊り下げ棒４に陳列するために用いられる。図面では説明上、商品１間に隙間Ｌ１や第１ストッパー部１０または第２ストッパー部９と商品１の間に隙間Ｌ２を有しているが、実際に商品１を吊り下げて用いる際は隙間Ｌ１，Ｌ２なく商品１が動かないように保持され、全体としてコンパクトな形状となっている。
【００２５】
第１ストッパー部１０は、例えば、軸部８上に設けられた円形のクリップであり、軸部８を締め付けている。軸部８上に第２ストッパー部９と商品１を挟むようして、商品１の背面部１３側に設けられており、商品１を軸部８上に保持する役割を果たしている。ここで、背面部１３とは、軸部８上の複数ある商品１のうち第１ストッパー部１０の一番近くに保持されている商品１の背面側の面とする。円形クリップの第１ストッパー部１０は、商品陳列回収補助具７ｂを斜めに傾けても商品１の重力に押されて動くことはないが、商品１を手で押すといった外力を加えることで軸部８上を摺動可能に移動することができる。第１ストッパー部１０の形状は、円形クリップでなくても吊り下げ穴５に引っ掛かるような形状で商品１を塞き止めることができれば形状であれば限定されない。また軸部８の形状に合わせた形状とすることができ、例えば軸部８が四角柱の形状であれば、第１ストッパー部１０も四角形の形状でもよい。
【００２６】
係止孔１１は、軸部８に設けられた吊り下げ棒４の先端部６に嵌め込むための孔であり、係止孔１１の内径ｄ２が吊り下げ棒４の大きさと略同一又はそれよりも大きくすることで嵌め込みを可能としており、３ｍｍ〜２０ｍｍであることが望ましい。また、外径ｄ１と内径ｄ２の差は小さければ小さいほど厚さが薄くなり、軸部８の係止孔１１に吊り下げ棒４の先端部６を嵌め込んだ際に、軸部８と吊り下げ棒４の連結箇所の段差が小さくなるため、商品１を吊り下げ棒４から軸部８へとスムーズに移動させることができる。
【００２７】
実際に用いる際は、図４（ａ）に示すように、第１ストッパー部１０を有する軸部８の一端部側に係止孔１１が設けられており、該係止孔１１を吊り下げ棒４の先端部６に嵌め込む。嵌め込む際に先端部６は上方向を向いているため商品陳列回収補助具７ｂを斜めにして嵌め込む必要があるが、その際に第１ストッパー部１０は商品１の重力に作用されても動かないため、軸部８上を商品１が滑り落ちるのを防ぐ効果を有する。特に高い場所にある商品棚の吊り下げ棒４に商品１を陳列させる際には、第１ストッパー部１０がない場合、商品１を支えるのが難しいことがあるため、吊り下げ棒４に挿入する前に下に商品１を落とす危険性があるが、第１ストッパー部１０を有することでその危険性がなくなり使用者は係止孔１１に先端部６を嵌め込むだけでよい。
【００２８】
図４（ｂ）に示すように、嵌め込んだ後は、使用者は商品陳列回収補助具７ｂの一番手前にある商品１を手Ｈで押すことにより、複数ある商品１をまとめて効率よく吊り下げ棒４に移動させて陳列させる。第１ストッパー部１０は複数ある商品１の重力のみでは動かないが、使用者が手Ｈで押した外力により容易に第１ストッパー部１０を動かすことができる。また、軸部８はプラスチックといった合成樹脂の素材でできているため摩擦係数が小さく、第１ストッパー部１０は、摩擦を感じることなく吊り下げ棒４上を移動することができる。そして、軸部８の外径ｄ１よりも吊り下げ棒４の直径の方が小さいため第１ストッパー部１０は容易に吊り下げ棒４に移動させることができる。第１ストッパー部１０が吊り下げ棒４の根本１４方向に移動すると同時に商品１が自動的に吊り下げ棒４に移動する。
【００２９】
図５に示すように、商品１の背面部１３を吊り下げ棒４に向けるようにして商品陳列回収補助具７ｂの係止孔１１を先端部６に嵌め込んでいる。一番手前にある商品１の前面部１２を押すだけで前述したように商品１を吊り下げ棒４に移動させることができる。
【００３０】
図６（ａ）に示すように、商品１を移し替えた後は、吊り下げ棒４には、第１ストッパー部１０と商品１が吊り下げられており、吊り下げ棒４の先端部６には商品陳列回収補助具７ａが嵌め込まれている。全ての商品１を軸部８から移し替えた後は、使用者は先端部６から商品陳列回収補助具７ａを取り外す。
【００３１】
図６（ｂ）に示すように、商品陳列回収補助具７ａを取り外した後は、第１ストッパー部１０を取り外すことで一連の流れが完了する。この複数の商品１を陳列させるための一連の流れに要する時間は１０秒もかからずに完了することができ、大幅な時間短縮を実現させることができる。ホームセンターなどの大型店舗では商品数が多いため、特に本発明の効果を発する。
【００３２】
また、前記のように第１ストッパー部１０を吊り下げ棒４から取り外す作業を簡単にするために、第１ストッパー部１０は以下のような形態を有することができる。
【００３３】
図７（ａ）に示す第１ストッパー部１０は、第１ストッパー部１０の下部に紐部１５が取り付けられた紐付き第１ストッパー部１６とすることができ、図７（ｂ）に示すように、紐付き第１ストッパー部１６を用いた商品陳列回収補助具７ｂとすることができる。紐部１５は吊り下げ棒４から取り外す際に引っ張っても第１ストッパー部１０から破断しない強度を有している。使用者は商品１を移し替えるまでは同様の手順を行い、図７（ｃ）に示すように、商品陳列回収補助具７ａを取り外した後は紐部１５を引っ張ることで紐付き第１ストッパー部１６を容易に吊り下げ棒４から取り外すことができる。
【００３４】
また、図８（ａ）に示す第１ストッパー部１０は、ピンチ部１７を有したピンチ型第１ストッパー部１８とすることができ、図８（ｂ）に示すように、ピンチ型第１ストッパー部１８を用いた商品陳列回収補助具７ｂとすることができる。ピンチ部１７をつまむことで、ピンチ型第１ストッパー部１８が開く構造となっており軸部８から解放することができる。これにより使用者は商品１を移し替えるまでは同様の手順を行い、図８（ｃ）に示すように軸部８を取り外した後はピンチ部１７をつまんで容易にピンチ型第１ストッパー部１８を吊り下げ棒４から取り外すことができる。
【００３５】
第１ストッパー部１０は、軸部８を摺動可能に移動するものでなくとも軸部８に係止された以下のような形態とすることもできる。
【００３６】
図９（ａ）に示すように、軸部８の一端部に空いた孔１９に、係止孔１１を塞ぐように軸部８を貫通させた折曲板２０を用いた折曲型第１ストッパー部２１としてもよい。折曲板２０は軸部８から出た突出部２２が障害となり商品１を軸部８上に保持させている。また、図９（ｃ）（ｄ）に示すように、係止孔１１を先端部６に嵌め込むことで、折曲板２０が先端部６に押されて折り曲げられ軸部８内に自動的に収納される。従って、先端部６を係止孔１１に挿入すると同時に突出部２２がなくなるため、商品１を吊り下げ棒４に移動させることができる。この場合、第１ストッパー部１０が吊り下げ棒４に移動しないので、吊り下げ棒４から第１ストッパー部１０を取りだす手間を省くことができる。
【００３７】
また、折曲型第１ストッパー部２１を用いる際は、第２ストッパー部９は軸部８の係止孔１１ａに着脱自在としたカヌー型第２ストッパー部９ａとしてもよい。第２ストッパー部９を着脱自在とすることで、軸部８の内部に収納された折曲板２０の取り出しを容易にすることができ、カヌー型第２ストッパー部９ａを係止孔１１ａから外した際に他端部から商品１を軸部８に吊り下げることができる。折曲板２０は、軸部８内に折り曲げ可能に収納される程度の弾性を有した合成樹脂等の素材が好適に用いられるが、弾性を有していない素材であっても、折曲板２０の中心線に折り曲げ可能となるように切込みを入れたものも用いることができる。
【００３８】
他にも、図１０に示すように第１ストッパー部１０は、軸部８内に弾性体２３と押板２４を用いた押板型第１ストッパー部２５とすることができる。吊り下げ棒４の先端部６が嵌め込まれていないときは、図１０（ｂ）に示すように、軸部８の孔２６から出た押板２４の突出部２７が障害となることで、商品１を軸部８上に保持することができる。図１０（ｃ）に示すように、吊り下げ棒４の先端部６を嵌め込んだときは、押板２４が先端部６に押され軸２８を中心に押板２４が回転する。その結果、押板２４が弾性体２３を押すと同時に軸部８内に自動的に収納される。収納されると、突出部２７がなくなるため商品１は吊り下げ棒４に移動することができる。また、先端部６から取り外すと、押板２４は弾性体２３の弾性力により再び図１０（ｂ）の状態に戻り何度も用いることができる。押板型第１ストッパー部２５を用いた場合にも、第２ストッパー部９はカヌー型第２ストッパー部９ａとすることが望ましい。
【００３９】
他にも、図１１（ａ）に示すように、第１ストッパー部１０は、栓部３０を有する栓型第１ストッパー部３１としてもよい。この場合、軸部８は、一定の間隔に空けた孔２９を有する必要がある。該孔２９に嵌まる栓部３０が障害となり、商品１を軸部８に保持させている。栓型第１ストッパー部３１を用いた商品陳列回収補助具７ｂを用いて商品１を陳列させる場合は、同様に先端部６に係止孔１１を嵌め込んだ後に栓部３０を外して商品１を軸部８に移動させることで完了する。また、栓３０は、孔２９から抜け落ちないように、摩擦力を上げる手段を有していてもよい。
【００４０】
図１１（ｂ）の実施例に示すように、孔２９及び識別印３２を有した軸部８を用いた商品陳列回収補助具７ａを用いて商品１を回収して用いる際は、吊り下げ棒４に軸部８の係止孔１１を嵌め込み、吊り下げ棒４から商品１を回収後、孔２９に栓型第１ストッパー部３１嵌め込む。そして識別印３２を確認することで吊り下げ棒４に吊り下げられていた商品１の数をすぐに把握することができる。本実施例においては、棚卸の際に特に効果を有する。
【００４１】
また、栓型第１ストッパー部３１を用いる際は、孔２９付近の軸部８上で商品１の数等の情報を示す識別印３２を付してもよい。識別印３２は数字、線、点字、記号またはメモリ等などが用いられ、使用者が区別することができればよい。例えばミリメートルなどの距離を示すメモリを用いれば、軸部８の長さを瞬時に認識することができる。また、数字を用いることで、予め商品１の奥行幅Ｌ３を把握していれば、商品陳列回収補助具７ｂに保持されている商品１の数をすぐに認識することができる。この場合、商品１によって商品１の奥行幅Ｌ３が変わるため、商品１によって孔３０の間隔や識別印３２を変える必要がある。
【００４２】
他にも、使用者が栓型第１ストッパー部３１やピンチ型第１ストッパー部１８といった第１ストッパー部１０を紛失した場合等は、商品１を軸部８に回収した後に、粘着テープ等を軸部８に巻き付けることで塞き止め手段を設けて、第１ストッパー部１０として商品１を軸部８に保持して用いることもできる。
【００４３】
他にも、第１ストッパー部１０は、カヌー型第２ストッパー部９ａのように軸部８の一端部において着脱自在として商品１を塞き止めてもよい。
【００４４】
他にも、図面には示していないが、第１ストッパー部１０は、軸部８が樹脂素材で構成されている場合は、軸部８の一端部を上から熱をかけながらプレスして加工することにより、一端部が扇形状に広がった形状とすることができる。広がった形状とすることで商品１が引掛り塞き止めることができる。この場合、商品１を陳列させる場合は、扇形状である第１ストッパー部１０ごと一端部をハサミなどで裁断することにより、係止孔９に先端部６を係止して商品１を移動させることができる。
【００４５】
また、図１２（ａ）に示すように、軸部８の一部にゴムやバネなどの弾性部材３３を具備した商品陳列回収補助具７ｂとしてもよい。図１２（ｂ）の実施例に示すように、弾性部材３３を有することで吊り下げ棒４の先端部６が直角方向に上方向を向いている場合、先端部６に嵌め込むときに商品陳列補助具７ｂ自体も垂直にしなければならず、そうすると商品１の制御が難しくなるため、使用者の負担になる可能性がある。このような場合に軸部８の一部を弾性部材３３とすることで折り曲げが可能となり、先端部６が直角に向いている場合でも地面と平行して商品１の移し替えが可能となり、煩わしさを解消することができる。また軸部８の先端にゴムチューブなどの弾性部材３３を用いた場合、上記で述べた効果を有すると共に、様々な直径の先端部６でもゴムチューブを伸ばして対応させ嵌め込むことができる。軸部８の一部に弾性部材３３を用いた際であっても、第１ストッパー部１０は紐付き第１ストッパー部１６、ピンチ型第１ストッパー部１８、折曲型第１ストッパー部２１又は押板型第１ストッパー部２５として用いて組み合わせてもよい。
【００４６】
軸部８の他端部の係止孔１１ａに先端部３４が着脱可能である把持部材３５を用いることができる。図１３（ａ）に示す把持部材３５は、斜面部３６を具備しているため商品１を塞き止めることができる。従って、この把持部材３５を用いる際は軸部８に第２ストッパー部９を有さなくても、把持部材３５の斜面部３６を第２ストッパー部９として用いることができる。そして、図１３（ｂ）に示すように、先端部３５を他端部の係止孔１１ａに嵌め込むことで一体型の商品陳列回収補助具７ｂとすることができる。把持部材３５を具備することで、高い場所に商品１を吊り下げる場合であっても握部３７を持つことで容易に商品１を吊り下げることができる。また、更に図１３（ｃ）に示すように、握部３７を商品１側に少し屈曲させてもよい。屈曲させることで図１３（ｄ）の実施例に示すように、先端部６に嵌め込んだ後であっても、屈曲させている分、把持部材３５を持ちやすい効果を有する。軸部８に第２ストッパー部９を有している場合は、斜面部３６を具備する必要はなくなり、斜面部３６を具備しない把持部材３５を係止孔１１ａと係止して用いてもよい。また、先端部３４にネジ部のような係止孔１１ａと接続する手段を有したハンドルネジやロブノブのような把持部材３５としてもよい。
【００４７】
また、把持部材３５は、第２ストッパー部９としてカヌー型第２ストッパー部９ａを組み合わせて用いることができ、第１ストッパー部１０として紐付き第１ストッパー部１６、ピンチ型第１ストッパー部１８、折曲型第１ストッパー部２１又は押板型第１ストッパー部２５を組み合わせて用いてもよいし、その際、必要であれば軸部８の一部に弾性部材３３を用いてもよい。
【産業上の利用可能性】
【００４８】
本発明は軸部８に商品１が既に吊り下げられているため、使用者は商品１を一つずつ吊り下げる必要がなくなり比較的短時間で商品１を吊り下げ棒４に吊り下げることができる。また陳列棚に吊り下げ棒４を用いている小売店全てに使用できるため、適用できる範囲が広い。
【符号の説明】
【００４９】
１        商品
２        網基板
３        吊り下げ棒基板
４        吊り下げ棒
５        吊り下げ穴
６        先端部
７ａ      商品陳列回収補助具
７ｂ      商品陳列回収補助具
８        軸部
９        第２ストッパー部
９ａ      カヌー型第２ストッパー部
１０      第１ストッパー部
１１      係止孔
１１ａ    係止孔
１２      前面部
１３      背面部
１４      根本
１５      紐部
１６      紐付き第１ストッパー部
１７      ピンチ部
１８      ピンチ型第１ストッパー部
１９      孔
２０      折曲板
２１      折曲型第１ストッパー部
２２      突出部
２３      弾性体
２４      押板
２５      押板型第１ストッパー部
２６      孔
２７      突出部
２８      軸
２９      孔
３０      栓
３１      栓型第１ストッパー部
３２      識別印
３３      弾性部材
３４      先端部
３５      把持部
３６      斜面部
３７      握部
Ｈ        手
ｄ１      外径
ｄ２      内径
Ｌ１      隙間
Ｌ２      隙間
Ｌ３      奥行き幅
【要約】
【課題】作業員が陳列棚に商品を陳列する際に商品の陳列及び回収を効率よく行い、また商品を落とすことなく効率よく商品を移し替える際の商品陳列回収補助具を提供する。
【解決手段】吊り下げ穴５を有する複数の商品１を吊り下げ棒４に陳列及び回収する商品陳列回収補助具７ｂであって、吊り下げ穴５に挿入する軸部８と、軸部８の一端部に設けた吊り下げ棒４の先端部３４に嵌め込む係止孔１１と、軸部８の他端部に設けた商品１を軸部８上に塞き止める第２ストッパー部９と、軸部８において係止されており商品１を第２ストッパー部９と挟んで商品１を軸部８上に保持する第１ストッパー部１０を具備し、第１ストッパー部１０は、軸部８の一端部において、軸部８が貫通されて空いた孔に係止孔１１を塞ぐように挿入させた折り曲げ可能な板２０であることを特徴とする
【選択図】図９【図１】
0006854378.tif 000002
【図２】
0006854378.tif 000003
【図３】
0006854378.tif 000004
【図４】
0006854378.tif 000005
【図５】
0006854378.tif 000006
【図６】
0006854378.tif 000007
【図７】
0006854378.tif 000008
【図８】
0006854378.tif 000009
【図９】
0006854378.tif 000010
【図１０】
0006854378.tif 000011
【図１１】
0006854378.tif 000012
【図１２】
0006854378.tif 000013
【図１３】
0006854378.tif 000014